(57)【特許請求の範囲】
【請求項１】
ケース本体部材及び前記ケース本体部材に開閉可能に装着されるケース蓋部材を備えたケースにおいて、
前記ケース本体部材に設けられた本体側封印部と、
前記ケース蓋部材に設けられ、前記ケース本体部材に前記ケース蓋部材を閉止して装着したときに前記本体側封印部に近接対向して、前記本体側封印部との間で内部に収容空間を形成する蓋側封印部と、
前記収容空間内に設けられたカッティング機構と、
前記本体側封印部及び前記蓋側封印部のいずれか一方の封印部に形成される貼着部に貼り付けられる封印シールと、
一側面側に開口して他側面側に延びた封印空間を有して略箱形状に形成され、近接対向状態の前記本体側封印部及び前記蓋側封印部を前記開口から前記封印空間内に挿脱可能な封印カバーとを備え、
前記カッティング機構が、前記封印カバーに設けられたカバー側係合部と係合可能な可動体側係合部を有し前記本体側封印部及び前記蓋側封印部から前記封印カバーを離脱させる方向に沿って移動可能な可動体と、前記封印シールを切断可能な切断部材と、前記可動体の離脱方向への移動に連動して前記切断部材を前記貼着部に近接する方向に揺動変位させる揺動手段とを備え、
前記一方の封印部に形成される前記貼着部には、前記収容空間と外部とを連通するとともに前記切断部材が通過可能なガイド孔が形成され、
前記ケース本体部材に前記ケース蓋部材を閉止して装着し、これにより近接対向した前記本体側封印部及び前記蓋側封印部を前記封印カバーに挿入装着したときに、前記封印空間内において、前記封印カバーの前記カバー側係合部と前記可動体の前記可動体側係合部とが係合し、
前記ケース本体部材から前記ケース蓋部材を開放するために、前記本体側封印部及び前記蓋側封印部に対して前記封印カバーを離脱させる方向へ相対移動させたときに、前記可動体が前記封印カバーと一体的に当該離脱方向に相対移動されることで、これに連動して前記切断部材が前記揺動手段により揺動変位し前記ガイド孔を通過して前記封印シールを切断することを特徴とするケース封印構造。
【請求項２】
前記切断部材は、筒形状の基体の先端に尖鋭な切れ刃を有して構成され、前記封印シールを切れ刃に沿ってくり抜くように切断することを特徴とする請求項１に記載のケース封印構造。
【請求項３】
前記一方の封印部に貼り付けられた前記封印シールに当接するようにして載置され、前記一方の封印部の前記ガイド孔に位置対応するとともに前記切断部材が通過可能な通過溝を有する切断ガイド部材を備え、
前記本体側封印部及び前記蓋側封印部を前記封印カバーに挿入装着したときに、前記切断ガイド部材は前記封印シールと前記封印カバーの内壁との間のスペースに介装された状態となっており、前記切断部材によって前記封印シールが切断される際に、前記封印シールが切断抵抗により前記スペース側に撓むのを前記切断ガイド部材によって抑制することを特徴とする請求項１または２に記載のケース封印構造。
【請求項４】
前記封印シールが情報を記憶及び読み取り可能なＩＣタグ及び前記ＩＣタグに対する情報の記憶及び読み取りを無線により行うためのアンテナ線を有して構成され、前記本体側封印部及び前記蓋側封印部に対して前記封印カバーを離脱方向に相対移動させたときに前記切断部材によって前記封印シールが切断されることにより少なくとも前記アンテナ線が切断されて前記ＩＣタグに対する無線による情報の記憶及び読み取りができないようになっていることを特徴とする請求項１〜３のいずれかに記載のケース封印構造。
【発明の詳細な説明】
【技術分野】
【０００１】
本発明は、遊技機の制御基板を収容する基板ケース等のケースに対するケース封印構造、さらに詳しくはＩＣタグ封印シールを用いたケース封印構造に関する。
【背景技術】
【０００２】
パチンコ機やスロットマシン等の遊技機では、この遊技機の作動を制御する制御基板が設けられている。例えば、パチンコ機では、外枠に対して開閉可能に組み付けられた前枠裏側の収容枠に遊技盤等が装備され、この遊技盤に制御基板が取り付けられている。スロットマシンにおいても同様に、フロントマスクの裏面側やキャビネットの内側に制御基板が取り付けられている。これらの制御基板は、賞球もしくはメダルの払出制御、電動役物の開閉制御、リールの回転制御、図柄組み合わせの発生確率制御等、パチンコ機もしくはスロットマシンの作動を制御する基板であり、遊技機の制御ソフトウェアが記録されたＲＯＭが搭載され、この遊技機の作動を制御する中枢制御装置としての役割を有している（例えば、特許文献１を参照）。
【０００３】
このような中枢制御装置としての役割を有した制御基板は偽造ＲＯＭへの差し替え等の不正改造対策として、基板ケース内に収容され、この基板ケースを不正に開放できないようにする不正開放防止手段を設けることが知られている。この不正開放防止手段として、例えば、制御基板をケース本体部材及びケース蓋部材からなる基板ケースに収容し、ケース本体部材に対してケース蓋部材を閉止状態で装着したときに、ケース本体部材の側に形成した係合部とケース蓋部材の側に形成した係合部とを係合させ、ケース蓋部材（もしくはケース本体部材）とその係合部とを繋ぐ連結部をニッパ等の工具を用いて切り離さない限り、ケース本体部材とケース蓋部材とを離間不能にする、所謂カシメ構造が種々提案されて、実用に供されている。
【０００４】
また、遊技機の固有情報や、制御基板の識別情報等を記憶させた無線読み取り可能なＩＣタグを有したＩＣタグ封印シールを用いて基板ケースを内部において封印することも知られている（例えば、特許文献２を参照）。このようにＩＣタグ封印シールを用いると、制御基板を基板ケース内に入れてカシメ構造により閉止保持するだけでなく、ＩＣタグ封印シールにより封印してより確実な不正開放対策が可能となる。さらに、外部からＩＣタグに記憶された情報を読み取って制御基板の識別等を行えるという利点もある。
【先行技術文献】
【特許文献】
【０００５】
【特許文献１】特開２００９−１８３７８８号公報
【特許文献２】特開２００９−２６１６４０号公報
【発明の概要】
【発明が解決しようとする課題】
【０００６】
このように封印シール、特にＩＣタグ封印シールは、不正開放対策及び種々の情報の記憶・読み取り機能という便利な機能を有するのであるが、これが不正に剥がされて不正に再使用されると基板ケースそのものを不正に交換するような不正改造を却って発見しにくくなるという問題がある。このため、基板ケースを開放するときに封印シールを破損するような構成、すなわち、封印シールを破損しなければ基板ケースを開放することができないような構造が望まれる。
【０００７】
本発明は、このような課題に鑑みてなされたものであり、基板ケース等のケースを閉止した状態で封印シールにより封印する構成において、封印シールを破損しなければケースを開放できないようにしたケース封印構造を提供することを目的とする。
【課題を解決するための手段】
【０００８】
このような目的達成のために、本発明に係るケース封印構造は、ケース本体部材及びこのケース本体部材に開閉可能に装着されるケース蓋部材を備えたケースにおいて、ケース本体部材に設けられた本体側封印部と、ケース蓋部材に設けられ、ケース本体部材にケース蓋部材を閉止して装着したときに本体側封印部に近接対向して、本体側封印部との間で内部に収容空間を形成する蓋側封印部と、収容空間内に設けられたカッティング機構と、本体側封印部及び蓋側封印部のいずれか一方の封印部に形成される貼着部に貼り付けられる封印シールと、一側面側に開口して他側面側に延びた封印空間を有して略箱形状に形成され、近接対向状態の本体側封印部及び蓋側封印部を上記開口から封印空間内に挿脱可能な封印カバーとを備え、カッティング機構が、封印カバーに設けられたカバー側係合部（例えば、実施形態におけるピン受容孔１６５）と係合可能な可動体側係合部（例えば、実施形態におけるロック機構１１５）を有し本体側封印部及び蓋側封印部から封印カバーを離脱させる方向に沿って移動可能な可動体と、封印シールを切断可能な切断部材と、可動体の離脱方向への移動に連動して切断部材を貼着部に近接する方向に揺動変位させる揺動手段とを備え、一方の封印部に形成される貼着部には、収容空間と外部とを連通するとともに切断部材が通過可能なガイド孔が形成され、ケース本体部材にケース蓋部材を閉止して装着し、これにより近接対向した本体側封印部及び蓋側封印部を封印カバーに挿入装着したときに、封印空間内において、封印カバーのカバー側係合部と可動体の可動体側係合部とが係合し、ケース本体部材からケース蓋部材を開放するために、本体側封印部及び蓋側封印部に対して封印カバーを離脱させる方向へ相対移動させたときに、可動体が封印カバーと一体的に当該離脱方向に相対移動されることで、これに連動して切断部材が揺動手段により揺動変位しガイド孔を通過して封印シールを切断するように構成される。
【０００９】
なお、上述の発明において、切断部材は、筒形状の基体の先端に尖鋭な切れ刃を有して構成され、封印シールを切れ刃に沿ってくり抜くように切断することが好ましい。
【００１０】
また、上述の発明において、一方の封印部に貼り付けられた封印シールに当接するようにして載置され、一方の封印部のガイド孔に位置対応するとともに切断部材が通過可能な通過溝（例えば、実施形態におけるリング状溝１５３）を有する切断ガイド部材を備え、本体側封印部及び蓋側封印部を封印カバーに挿入装着したときに、切断ガイド部材は封印シールと封印カバーの内壁との間のスペースに介装された状態となっており、切断部材によって封印シールが切断される際に、封印シールが切断抵抗により上記スペース側に撓むのを切断ガイド部材によって抑制することが好ましい。
【００１１】
また、上述の実施形態において、封印シール（例えば、実施形態におけるＩＣタグ封印シール１４０）が情報を記憶及び読み取り可能なＩＣタグ及びＩＣタグに対する情報の記憶及び読み取りを無線により行うためのアンテナ線を有して構成され、本体側封印部及び蓋側封印部に対して封印カバーを離脱方向に相対移動させたときに切断部材によって封印シールが切断されることにより少なくともアンテナ線が切断されてＩＣタグに対する無線による情報の記憶及び読み取りができないようになっていることが好ましい。
【発明の効果】
【００１２】
本発明に係るケース封印構造によれば、封印カバーの封印空間に本体側封印部及び蓋側封印部を挿入装着したときに、この封印カバーと両封印部の収容空間に保持された可動体とが係合して、封印カバーとカッティング機構とが連結し、封印カバーを本体側封印部及び蓋側封印部から取り外すときには、可動体が封印カバーと一体的に離脱方向へ相対移動することで、これに連動して揺動手段によって切断部材が揺動変位してガイド孔を通過して封印シールが切断される。これにより、封印シールを破損することなくケースを開放させることができないケース封印構造となるので、封印シールが不正に再使用されることを防止できる。
【００１３】
また、上述の発明において、切断部材が筒形状の基体の先端に尖鋭な切れ刃を有して構成され、封印シールを切れ刃に沿ってくり抜くように切断することが好ましい。これにより、平型の刃具を用いて切断した場合と比してより広い範囲の部分を一度に切断できるため、封印シールをより確実に再使用不能に切断することが可能になる。
【００１４】
また、上述の発明において、切断部材によって封印シールが切断される際に、封印シールが切断抵抗により上記スペース側に撓むのを切断ガイド部材によって抑制することが好ましい。これにより、封印シールを正確且つ容易に切断することを可能にしている。また、これにより、封印シールの切断の際に、切断抵抗によって封印シールが貼着部から剥離することもない。なお、切断部材の切れ刃は封印シールを突き破って、封印シールよりも突出することになるが、切断ガイド部材には通過溝が形成されているため、封印シールから突出した切れ刃の部分はこの通過溝内に遊挿され、切断部材の切れ刃と切断ガイド部材とが干渉して、切れ刃が折損するおそれもない。
【００１５】
また、上述の発明において、封印シールが情報を記憶及び読み取り可能なＩＣタグ及びアンテナ線を有して構成され、本体側封印部及び蓋側封印部に対して封印カバーを離脱方向に相対移動させたときに少なくともＩＣタグのアンテナ線が切断されてＩＣタグに対する無線による情報の記憶及び読み取りができないように構成するのが好ましく、これにより封印シールの再使用を確実に防止できる。
【図面の簡単な説明】
【００１６】
【図１】本発明に係るケース封印構造を備えたパチンコ機の正面図である。
【図２】上記パチンコ機の背面図である。
【図３】上記パチンコ機に用いられる主基板アッセンブリであって、本発明に係るケース封印構造を適用した主基板アッセンブリを示す斜視図である。
【図４】上記主基板ケースを開放状態で示す斜視図である。
【図５】上記主基板アッセンブリを分解して示す斜視図である。
【図６】上記主基板アッセンブリを構成するケース封印部を取り出して示す斜視図である。
【図７】上記ケース封印部の本体側封印部を示す斜視図である。
【図８】上記ケース封印部の蓋側封印部を示す斜視図である。
【図９】上記ケース封印部のロック機構を示す断面図である。
【図１０】上記ケース封印部のカッティング機構を示す断面図である。
【図１１】ＩＣタグ封印シールの正面図である。
【図１２】上記ケース封印部の封印カバーを図６の矢印XII−XIIに沿って示す断面図である。
【図１３】上記ケース封印部の断面図であって可動体が原位置にあるときを示す。
【図１４】上記ケース封印部の断面図であって可動体が切断位置にあるときを示す。
【図１５】他の形態のＩＣタグ封印シールの正面図である。
【発明を実施するための形態】
【００１７】
以下、本発明の好ましい実施形態について図面を参照して説明する。本発明に係るケース封印構造を用いる遊技機の代表例としてパチンコ機ＰＭの正面図及び背面図を図１及び図２に示しており、先ず、これらの図面を参照しながらパチンコ機ＰＭの全体構成について概要説明する。
【００１８】
パチンコ機ＰＭは、外郭方形枠サイズに構成された縦向きの固定保持枠をなす外枠１の開口前面に、これに合わせた方形枠サイズに構成されて開閉搭載枠をなす前枠２が互いの正面左側縁部に配設された上下のヒンジ機構３ａ，３ｂにより横開き開閉及び着脱が可能に取り付けられ、正面右側縁部に設けられたダブル錠と称される施錠装置４を利用して常には外枠１と係合連結された閉止状態に保持される。
【００１９】
前枠２の前面側上部には、前枠２の上部前面域に合わせた方形状のガラス扉５及び球皿ユニット６が正面左側部に設けられたヒンジ機構７ａ，７ｂ，７ｃを利用して横開き開閉及び着脱可能に組み付けられ、施錠装置４を利用して常には前枠２の前面を覆う閉止状態に保持される。球皿ユニット６の正面右側下部には遊技球の発射装置を行う操作ハンドル８が設けられている。ガラス扉５の背後に位置する前枠上部には、遊技盤１０を着脱可能に収容する収容枠（図示せず）が設けられており、この収容枠に遊技盤１０が着脱可能にセット保持され、常には閉止保持されるガラス扉５を通して遊技盤１０の正面の遊技領域ＰＡを臨ませるようになっている。
【００２０】
前枠２の裏面側には、中央に前後連通する窓口を有して前枠２よりもやや小型の方形枠状に形成された裏セット盤３０が、前枠２の裏面に設けられた複数のレバーＬ，Ｌ…を利用して着脱可能にセット保持される。裏セット盤３０の各部には遊技球を貯留する球貯留タンク３１、タンクレール３２、整列待機通路３３、賞球カセット３４、賞球排出通路３５などの賞球装置が装備されるとともに、裏面各部に電源基板アッセンブリや主基板アッセンブリ５０等の各種制御基板アッセンブリが取り付けられている。
【００２１】
球皿ユニット６に前面側が覆われた前枠２の下部領域には遊技補助盤（図示せず）と称される補助機構部が形成されており、この遊技補助盤の各部に、打球発射装置（図示せず）や、裏セット盤３０側の賞球排出通路３５と繋がり球皿ユニット６の球皿に排出できない遊技球を一時貯留する貯留カセット（図示せず）などが設けられている。
【００２２】
パチンコ機ＰＭは、前枠２、ガラス扉５及び球皿ユニット６がともに閉止され施錠された状態で遊技に供され、球皿ユニット６の球皿に遊技球を貯留させて操作ハンドル８を回動操作することにより遊技が開始される。操作ハンドル８が回動操作されると、球皿ユニット６の球皿に貯留された遊技球が打球発射装置により１球ずつ遊技領域ＰＡに打ち出され、以降パチンコゲームが展開される。
【００２３】
以上のように概要構成されるパチンコ機ＰＭにあって、主基板アッセンブリ５０に本発明に係るケース封印構造が適用されており、以下においては、この主基板アッセンブリ５０について説明する。まず、図３〜図５を追加参照して、主基板アッセンブリ５０の全体構成について説明する。ここで、図３は主基板アッセンブリ５０の閉止状態の斜視図、図４は主基板アッセンブリの開放状態の斜視図、図５は主基板アッセンブリ５０の分解斜視図である。
【００２４】
主基板アッセンブリ５０は、パチンコ機ＰＭの作動を統括的に制御する主制御基板５１と、主制御基板５１を内部に収容する主基板ケース５５とを主体に構成される。さらに、主基板ケース５５は、パチンコ機ＰＭの裏セット盤３０に固定されるケース本体部材６０と、ケース本体部材６０に開閉自在に取り付けられるケース蓋部材７０と、主制御基板５１の裏面側を覆う内部カバー８０とを備え、主制御基板５１及び内部カバー８０がケース蓋部材７０の内面側に取り付けられた状態で、ケース蓋部材７０をケース本体部材６０へ開閉自在に装着されるように構成されている。
【００２５】
主制御基板５１は、図５に示すように、中央部に配設されたＣＰＵ５２や、左側に配設された左側接続コネクタ５３，５３，…、右側に配設された右側接続コネクタ５４，５４，…等の電子部品を有して構成される。主制御基板５１の四隅には、基板取付孔５１ａ，５１ａ，…が形成されている。また、主制御基板５１の縁部近傍三箇所には、ピン孔５１ｂ，５１ｂ，５１ｂが形成されており、内部カバー８０の位置決めピン８１，８１，８１と嵌合するようになっている。
【００２６】
ケース本体部材６０は、前面側に開口を有する矩形箱状の形態をなし、ＡＢＳ樹脂やポリカーボネート（ＰＣ）等の透明な樹脂材料を用いて射出成形等の成形手段により一体的に成形される。ケース本体部材６０の底部には、補強リブ６１が縦横に格子状に形成されており、ケース本体部材６０の強度を向上させるとともに、ケース内部に収容された内部カバー８０が当接して受け止められるようになっている。
【００２７】
ケース本体部材６０の左端部にはヒンジ軸６２，６２が形成されており、ケース蓋部材７０のヒンジアーム７４とそれぞれヒンジ係合するようになっている。ケース本体部材６０の上下側壁外面には、前方に突出する左右の係止アーム６３，６３が形成されており、ケース蓋部材７０の側面に形成された左右の係止突起７５，７５にそれぞれ係止するようになっている。このため、ケース本体部材６０に対してケース蓋部材７０がヒンジ軸６２にヒンジアーム７４をヒンジ係合した状態でヒンジ軸６２を中心として、図３に示す開放した状態と図４に示す閉止した状態とに開閉揺動可能であり、図４に示すように閉止した状態で係止アーム６３が係止突起７５に係止して仮止め保持されるようになっている。
【００２８】
ケース本体部材６０の縁部内側には、内側ガードリブ６４が突出して形成されており、ケース蓋部材７０がケース本体部材６０に装着されるときに、ケース蓋部材７０の外側ガードリブ（図に現れず）の内側に位置するようになっている。ケース本体部材６０の縁部外側には、縁部当接部６５が内側ガードリブ６４に繋がって形成されており、ケース蓋部材７０がケース本体部材６０に装着されるときに、外側ガードリブが縁部当接部６５と当接するようになっている。
【００２９】
ケース蓋部材７０は、ケース本体部材６０の開口を覆う矩形箱状の形態をなし、ＡＢＳ樹脂やポリカーボネート（ＰＣ）等の透明な樹脂材料を用いて射出成形等の成形手段により一体的に成形される。ケース蓋部材７０の裏面側（内面側）の四隅には、ボス形状の基板取付部がネジ孔（いずれも図に現れず）を有して形成されており、主制御基板５１及び内部カバー８０がそれぞれの取付孔５１ａ，８２を介して基板取付ネジ８９によりネジ固定されてケース蓋部材７０の内面側に取り付けられるようになっている。
【００３０】
ケース蓋部材７０の左側には、左コネクタ開口部７２，７２，…が形成されており、図３に示すように、ケース蓋部材７０がケース本体部材６０に装着された状態で、主制御基板５１の左側接続コネクタ５３が左コネクタ開口部７２を介して外部に露出するように構成されている。ケース蓋部材７０の右側には、右コネクタ開口部７３，７３，…が形成されており、ケース蓋部材７０がケース本体部材６０に装着された状態で、主制御基板５１の右側接続コネクタ５４が右コネクタ開口部７３を介して外部に露出するように構成されている。
【００３１】
内部カバー８０は、主制御基板５１の形状に合わせた矩形板状の形態をなし、ＡＢＳ樹脂やポリカーボネート（ＰＣ）等の透明な樹脂材料を用いて一体的に形成される。内部カバー８０の縁部近傍三箇所には、位置決めピン８１，８１，８１が形成されており、主制御基板５１のピン孔５１ｂ，５１ｂ，５１ｂとそれぞれ嵌合して、内部カバー８０が主制御基板５１の裏面側にちょうど重なるようになっている。
【００３２】
内部カバー８０の四隅には取付孔８２，８２，…が形成されており、基板取付ネジ８９によりケース蓋部材７０の内面の基板取付部にネジ固定されるようになっている。そして、主制御基板５１を所定方向に向けた状態で、基板取付部のボス部に主制御基板５１の基板取付孔５１ａを嵌合させ、さらに、内部カバー８０の位置決めピン８１を主制御基板５１のピン孔５１ｂに嵌合させるとともにケース蓋部材７０の蓋側ピン孔（図示せず）に嵌入して、内部カバー８０を主制御基板５１の裏面側に重ねて載置した状態で、基板取付ネジ８９により主制御基板５１及び内部カバー８０がケース蓋部材７０の内面側に取り付けられる。
【００３３】
このようにして、ケース蓋部材７０がケース本体部材６０の開口を覆う閉止状態でケース本体部材６０に装着されているときには、係止アーム６３が係止突起７５に係合しているだけであり、ケース蓋部材７０をケース本体部材６０に対して容易に開放させることができる。そこで、閉止状態で装着されたケース蓋部材７０を開放できなくして不正操作を防止するために、基板アッセンブリ５０には不正開放防止機構９０が設けられている。
【００３４】
この不正開放防止機構９０は従来から知られている構成であり、種々の構成が適用可能であるが、本実施形態では、図３〜図５に示すように、ケース本体部材６０に一体に繋がった本体側係合部９１と、ケース蓋部材７０に連結部９４を介して繋がった蓋側係合部９３と、両係合部９１，９３を結合させるための結合部材９５とから構成される。結合部材９５は、本体側係合部９１の係合凹部９１ａ内に挿入され、側面に形成された係合突起９５ａが係合凹部９１ａ内の係合部と図４に示すように取り外し不能に係合される。この状態でケース蓋部材７０を図３に示すように閉止すると、結合部材９５の上方に突出する部分が蓋側係合部９３の係合凹部９３ａ（図には現れないが、蓋側係合部９３の内面側に形成されている）内に入り込み、側面に形成された係合突起９５ｂが係合凹部９３ａ内の係合部と取り外し不能に係合し、ケース本体部材６０とケース蓋部材７０とが図３に示すように閉止した状態で結合保持される。なお、この状態からケース蓋部材７０を開放するためには、例えばニッパ等の工具を用いて蓋側係合部９３とケース蓋部材７０とを繋ぐ連結部９４を切断して、蓋側係合部９３とケース蓋部材７０とを切り離せばよい。
【００３５】
このように構成される不正開放防止機構９０の隣に位置して、本発明を適用したケース封印部１００が設けられており、この構成について、図６〜図１２を追加参照して以下に詳しく説明する。ここで、図６はケース封印部１００を取り出して示す斜視図、図７は本体側封印部１１０を示す斜視図、図８は蓋側封印部１２０を示す斜視図、図９はロック機構１１５を示す断面図、図１０はカッティング機構１３０を示す断面図、図１１はＩＣタグ封印シール１３０の正面図、図１２は封印カバー１６０を図６の矢印XII−XIIに沿って示す断面図である。
【００３６】
ケース封印部１００は、ケース本体部材６０に一体に繋がって形成された本体側封印部１１０と、ケース蓋部材７０に一体的に繋がって形成された蓋側封印部１２０と、蓋側封印部１２０上に載置される切断ガイド部材１５０と、両封印部１１０，１２０全体を覆うようにして内部に収容可能な封印カバー１６０とを備える。両封印部１１０，１２０は、ケース本体部材６０にケース蓋部材７０が図３に示すように閉止された状態で互いに当接対向し、蓋側封印部１２０の表面側に切断ガイド部材１５０を載置した上で、これらを覆うようにして封印カバー１６０が着脱自在に取り付けられる。上述したように、本体側封印部１１０及び蓋側封印部１２０はそれぞれケース本体部材６０及びケース蓋部材７０に一体に繋がって構成されているが、図６〜図１２においては、本体側封印部１１０及び蓋側封印部１２０を切り離した状態でこれらケース封印部１００のみを取り出して示す。なお、このケース封印部１００が備えられる基板ケースの大きさや形状、取り付け姿勢（前後・上下・左右の各方向）等は、ケース内部に収容される制御基板の形状寸法、基板ケースが取り付けられる遊技機の取り付け位置、制御基板の配設姿勢等に応じて任意に設定可能である。そのため以降においては、説明の便宜上、図６に示す矢印Ｆ，Ｒ，Ｕの向かう方向を、それぞれ前方、右方、上方と称して説明する。
【００３７】
本体側封印部１１０は、下側壁１１１Ｄ及びこの下側壁１１１Ｄを囲んで上方に延びる前後左右の側壁１１１Ｆ，１１１Ｂ，１１１Ｌ，１１１Ｒを有し、全体として上側底面開放の略矩形箱状に形成された本体側ボディ１１１がケース本体部材６０に一体に繋がって構成されており、この本体側ボディ１１１の内部に下側収容空間１１２が形成されている。この下側収容空間１１２内において下側壁１１１Ｄから上方に突設されて次述する可動体１１４の前後方向への移動を案内するための左右一対のレール部１１３，１１３が直線状に延びて設けられている。
【００３８】
可動体１１４は、矩形ブロック形状に形成されており、その底面側に本体側ボディ１１１のレール部１１３と嵌合可能な凹状の嵌合部（図示せず）が形成されている。この可動体１１４は、一対のレール部１１３に案内されて前後方向へのスライド移動のみが許容されており、原位置としてレール部１１３の始端で前側壁１１１Ｆに近接した状態で保持されている。
【００３９】
可動体１１４の左右の側面側には、この可動体１１４と封印カバー１６０とを係合するためのロック機構１１５が設けられている。ロック機構１１５は、図９に示すように、細長い軸状のロックピン１１６と、このロックピン１１６を軸方向（可動体１１４のスライド移動方向に直交する方向）に沿ってスライド変位自在に収容保持するピン収容部１１７と、ロックピン１１６をピン収容部１１７の外方に向けて付勢するコイルバネ１１８とを主体に構成される。ロックピン１１６の中間部には大径の座部１１６ｂが形成されており、このロックピン１１６の座部１１６ｂとピン収容部１１７の底部との間にコイルバネ１１８が介装される。このロックピン１１６を収容するピン収容部１１７は、ロックピン１１６の座部１１６ｂよりも幾分大きな内径で穿設されている。コイルバネ１１８の自由状態では、ロックピン１１６の先端部１１６ａがピン収容部１１７から外方に突出するようになっている。
【００４０】
蓋側封印部１２０は、上側壁１２１Ｕ及びこの上側壁１２１Ｕを囲んで下方に延びる前後左右の側壁１２１Ｆ，１２１Ｂ，１２１Ｌ，１２１Ｒを有し、全体として下側底面開放の略矩形箱状に形成された蓋側ボディ１２１が蓋側ケース部材７０に一体に繋がって構成されており、この蓋側ボディ１２１の内部に上側収容空間１２２が形成されている。蓋側ボディ１２１の左右の側壁１２１Ｌ，１２１Ｒの底面側には、下方に開口した案内溝１２３が可動体１１４のスライド移動量に対応した長さで形成されている。
【００４１】
このような本体側封印部１１０と蓋側封印部１２０が当接対向した状態で、本体側ボディ１１１及び蓋側ボディ１２１に囲まれて下側収容空間１１２と上側収容空間１２２とがちょうど上下に重なるようになっており、これらにより次述するカッティング機構１３０を収容するための収容空間１３１が形成される。カッティング機構１３０は、図１０に示すように、本体側封印部１１０に設けられた前述のレール部１１３及び可動体１１４と、蓋側封印部１２０に設けられた揺動部材１２４、板バネ１２６及び切断部材１２７とを主体に構成される。
【００４２】
揺動部材１２４は、矩形平板状に形成されており、蓋側ボディ１２１の上側壁１２１Ｕに設けられた軸部１２５を中心として上下に揺動自在に枢結されている。
【００４３】
板バネ１２６は、ばね鋼などの金属薄板を略Ｕ字状に屈曲してなり、一方の脚部１２６ａが蓋側ボディ１２１の上側壁１２１Ｕに係止され、他方の脚部１２６ｂが揺動部材１２４の上面側に係止されており、その弾性力によって揺動部材１２４を常時下方へ付勢している。なお、板バネ１２６に代えて、コイルバネや皿バネなどの付勢手段を用いてもよい。
【００４４】
このように揺動部材１２４は板バネ１２６によって下方に付勢されて可動体１１４の上面側に当接し、可動体１１４の移動に伴って上下に揺動変位するようになっており、可動体１１４がレール部１１３の始端部に位置（図１０及び図１３に示す可動体１１４の位置であって、以下において「原位置」と称する）しているときには、揺動部材１２４は軸部１２５から斜め下方に傾斜した姿勢をとり、可動体１１４がレール部１１３に沿って切断部材１２７の下方の位置（図１４に示す可動体１１４の位置であって、以下において「切断位置」と称する）に達したときには、揺動部材１２４は可動体１１４によって押し上げられて板バネ１２６の付勢力に抗して上方に揺動しほぼ水平姿勢をとることになる。
【００４５】
切断部材１２７は、上方に向けて尖鋭な先端を有する切れ刃１２７ｂが円筒状の基体１２７ａの上端において円周方向に沿って複数形成されて構成され、全体として王冠形状を呈する金属製の刃具となっている。切断部材１２７は、切れ刃１２７ｂを上方に向けた姿勢で揺動部材１２４に固着されており、揺動部材１２４と一体となって軸部１２５を中心に揺動運動を行う。この切断部材１２７の揺動位置に合わせて蓋側ボディ１２１の上側壁１２１Ｕには切断部材よりも若干大径に形成された円形のガイド孔１２８が表裏貫通して形成されており、切断部材１２７が揺動部材１２４と共に上方に揺動したときにこのガイド孔１２８を通過可能となっている。
【００４６】
また、蓋側ボディ１２１の上面側にはＩＣタグ封印シール１４０を貼り付けるための平坦面（図６及び図８において破線で示す領域であり、以下においてこの領域を「貼着部」と称する）が形成され、この貼着部１２９の略中央に上述のガイド孔１２８が開口している。
【００４７】
ＩＣタグ封印シール１４０は、図１１に示すように、矩形シート状のシール部材１４１に、ＩＣタグ１４２及びこれに繋がるアンテナ線１４３が透明な樹脂フィルム１４４によって覆われた状態で貼り付けられて構成されており、紙製のシール部材１４１の表面には識別情報としてのシリアル番号（図示せず）がプリントされている。ＩＣタグ１４２はシール部材１４１の略中央に配置され、アンテナ線１４２はシール部材１４１の一方の対角線に沿って配置されている。このＩＣタグ１４２には、パチンコ機ＰＭに関する情報、制御基板５１の識別情報等、種々の情報を記憶した非常に小さな電子素子であり、これに繋がって設けられたアンテナ線１４３を介してケース５５の外部からこれら情報を読み取り可能となっている。
【００４８】
また、シール部材１４１の外縁にはギザギザ状の切り込み１４１ａが規則的に形成され、このシール部材１４１を剥がすときに切り込み１４１ａの凹部に応力集中が生じて破断され易いようになっている。一方、樹脂フィルム１４４の外周には、直線状の切り込み１４４ａが規則的に形成され、ＩＣタグ封印シール１４０が剥がされたり外力が印加されたときに、この切り込み１４４ａに沿って樹脂フィルム１４４と共にアンテナ線１４２が破断され易く、これにより情報送信が不能になるようにしている。
【００４９】
貼着部１２９の四隅近傍には、上方に突出したＬ字状の位置決め部１３９がそれぞれ設けられており、この位置決め部１３９に案内されて切断ガイド部材１５０がＩＣタグ封印シール１４０と上下に重なった状態で蓋側ボディ１２１の上面側に載置されるようになっている。
【００５０】
切断ガイド部材１５０は、矩形ブロック状のベース体１５１と、このベース体１５１の略中央において被載置面１５２側に開口したリング状溝１５３とを有して構成される。この切断ガイド部材１５０は、被載置面１５２をＩＣタグ封印シール１４０に対面させるようにして、その四隅を位置決め部１３９に案内されて蓋側封印部１２０の上面側に載置される。切断ガイド部材１５０のリング状溝１５３は、上側壁２１１Ｕの孔とほぼ同じ直径で形成されており、蓋側封印部１２０に切断ガイド部材１５０が取り付けられた状態では、蓋側ボディ１２１の上側壁１２１Ｕと切断ガイド部材１５０の被載置面１５２との間にＩＣタグ封印シール１４０が配置され、このＩＣタグ封印シール１４０を介在させてガイド孔１２８とリング状溝１５３とがちょうど上下に重なるようになっている。
【００５１】
封印カバー１６０は、後壁１６１Ｂ及びこの後壁１６１Ｂを囲んで前方に延びる前後左右の側壁１６１Ｕ，１６１Ｄ，１６１Ｌ，１６１Ｒを有し、全体として前面開口１６２を持つ矩形箱状に形成されたハウジング１６１をベースとして構成されており、このハウジングの内部に本体側封印部１１０、蓋側封印部１２０及び切断ガイド部材１５０のほぼ全体を収容するための封印空間１６３が形成されている。ハウジング１４１内において左右に対向する側壁１６１Ｌ,１６１Ｒには、前面開口１６２から後方へ向けて内側に傾斜したピン案内面１６４が形成されており、ピン案内面１６４よりも若干後方にはロックピン１１６の先端部１１６ａを挿入可能な大きさを持つピン受容孔１６５が形成されている。
【００５２】
次に、このような構成のケース封印部１００において、ケース本体部材６０にケース蓋部材７０を閉止状態で結合して、本体側封印部１１０及び蓋側封印部１２０に封印カバー１６０を装着する方法及び構成について、図１３及び図１４を追加参照して説明する。なお、図１３はケース封印部１００の断面図であって可動体１１４が原位置にあるときを示し、図１４はケース封印部１００の断面図であって可動体１１４が切断位置にあるときを示す。
【００５３】
まず、主基板ケース５５において、ケース本体部材６０のヒンジ軸６２にケース蓋部材７０のヒンジアーム７４をヒンジ係合して、ケース蓋部材７０をケース本体部材６０の上に重ねて（揺動させて）閉止状態にすると、係止アーム６３が係止突起７５に係止して、ケース蓋部材７０がケース本体部材６０に対して閉止状態のまま装着される。このとき、前述のように、不正開放防止機構９０により本体側係合部９１と蓋側係合部９３とが接続部材９５を介して連結され、ケース本体部材６０とケース蓋部材７０とが閉止状態で結合保持されるのである。
【００５４】
このようにケース本体部材６０にケース蓋部材７０が図３に示すように閉止された状態では、本体側封印部１１０と蓋側封印部１２０とが互いに当接対向し、本体側ボディ１１１と蓋側ボディ１２１との間に囲まれて収容空間１３１が形成される。このとき、本体側ボディ１１１に対して蓋側ボディ１２１が重ね合わさるように当接することで、ロックピン１１６の先端部１１６ａが案内溝１２３から外方へ突出した状態となる。またこのとき、揺動部材１２４が板バネ１２６により付勢されて可動体１１４に当接して、この可動体１１４を原位置で保持する。ここで、可動体１１４は板バネ１２６により付勢されて揺動部材１２４と常に当接した状態であるため、可動体１１４の直進運動が揺動部材１２４に正確に伝達され、可動体１１４の移動に伴って連動（揺動変位）する切断部材１２７の応答性を向上させることができる。
【００５５】
本体側封印部１１０と蓋側封印部１２０とが上下に重合されたら、蓋側封印部１２０の上方からガイド孔１２８を隠蔽するようにして、上側壁１２１Ｕの貼着部１２９にＩＣタグ封印シール１４０をしっかりと貼り付ける。このときＩＣタグ封印シール１４０のＩＣタグ１４２がガイド孔１２８の中央に位置するようにしたり、ガイド孔１２８の輪郭線上にアンテナ線１４３が横断した状態としておくことが好ましい。ＩＣタグ封印シール１４０を貼着部１２９に貼り付けたら、切断ガイド部材１５０の四隅を位置決め部１３９に位置合わせして、切断ガイド部材１５０の被載置面１５２をＩＣタグ封印シール１４０に対面させるようにして載置する。これにより、ＩＣタグ封印シール１４０表面のほぼ全域が切断ガイド部材１５０によって覆われた状態となる。
【００５６】
このようにＩＣタグ封印シール１４０及び切断ガイド部材１５０が取り付けられた両封印部１１０，１２０に封印カバー１６０を装着するために、両封印部１１０，１２０と封印カバー１６０とを位置合わせして、両封印部１１０，１２０を封印カバー１６０の前面開口１６２から内部の封印空間１６３へ挿入する。両封印部１１０，１２０を封印カバー１６０に挿入していき、ロックピン１１６が前面開口１６２から封印カバー１６０のピン案内面１６４に達すると、このピン案内面１６４による傾斜面の作用によってロックピン１１６がピン案内面１６４に摺接しながらピン収容部１１７内に押し込まれていく。ロックピン１１６の先端部１１６ａがピン案内面１６４を摺動しながら左右の側壁１６１Ｌ，１６１Ｒへ移り、ピン受容孔１６５まで達したところで、コイルバネ１１８の付勢力によってロックピン１１６がピン受容孔１６５内に進入してこのピン受容孔１６５と係合する。このようにロックピン１１６とピン受容孔１６５とが係合することにより、封印カバー１６０と可動体１１４（カッティング機構１３０）とが連結した状態となり、これによって両封印部１１０，１２０が封印カバー１６０に挿入装着された状態となる。
【００５７】
以上の説明から分かるように、ケース本体部材６０の上にケース蓋部材７０を図３に示すように閉止させると、不正開放防止機構９０によりケース本体部材６０とケース蓋部材７０とが係合して閉止状態に保持され、これにより当接対向した本体側封印部１１０及び蓋側封印部１２０にＩＣタグ封印シール１４０を貼着し、その上から切断ガイド部材１５０を載置した上で封印カバー１６０に挿入装着することで、ＩＣタグ封印シール１４０が封印カバー１６０の内部に保持される。ＩＣタグ封印シール１４０は、上述のようにＩＣタグ１４２及びアンテナ線１４２を有しており、封印カバー１６０の内部に保持された状態のままで、アンテナ線１４２を介して無線によりＩＣタグ１４２に記憶された各種情報（例えば、パチンコ機ＰＭに関する情報、主制御基板５１の識別情報等）を封印カバー１６０を開放することなく、外部から読み取り可能である。
【００５８】
次に、以上のようにケース本体部材６０とケース蓋部材７０とが係合して閉止状態に保持された状態からケース蓋部材７０を開放させる場合について説明する。ケース蓋部材７０を開放させるためには、ケース封印部１００において本体側封印部１１０及び蓋側封印部１２０と封印カバー１６０とが連結した状態にあるので、まず、封印カバー１６０を両封印部１１０，１２０から取り外さなければならない。両封印部１１０，１２０から封印カバー１６０を取り外すには、取り付けとは逆の方向、すなわち、両封印部１１０，１２０に対して封印カバー１６０を離脱させる方向（図１３の左右方向）に相対移動させればよい。このように両封印部１１０，１２０から封印カバー１６０を取り外すときの一連の動きに伴って、この封印カバー１６０に連結されたカッティング機構１３０によってＩＣタグ封印シール１４０が切断されるようになっている。
【００５９】
封印カバー１６０が両封印部１１０，１２０に完全に装着されている状態においては、封印カバー１６０と可動体１１４とがロックピン１１６を介して連結されており、この可動体１１４は原位置で、板バネ１２６によって下方に付勢された揺動部材１２４の下面と当接している。このような状態から封印カバー１６０を両封印部１１０，１２０から離脱させる方向に相対移動させることで、可動体１１４も一体的になって当該離脱方向にスライド移動する。可動体１１４が離脱方向へ移動するのに応じて、この可動体１１４と当接状態の揺動部材１２４が押し上げられ、揺動部材１２４が板バネ１２６の付勢力に抗して軸部１２５を中心としてＩＣタグ封印シール１４０に近接する方向（上方向）に揺動変位する。可動体１１４が切断部材１２７のほぼ下方の切断位置まで達すると、揺動部材１２４が可動体１１４の上面全体に当接した状態となって蓋側封印部１２０の上側壁１２１Ｕとほぼ平行に延在した水平姿勢となり、このとき切断部材１２７がガイド孔１２８を通過してＩＣタグ封印シール１４０を切れ刃１２７ｂに沿ってくり抜くようにして切断する。よって、ＩＣタグ封印シール１４０には切断部材１２７の外周径にほぼ等しい円形の孔があけられる。このようにＩＣタグ封印シール１４０を切断すれば、ＩＣタグ１４２そのものを破壊できなくてもアンテナ線１４３を切断することになるため、ＩＣタグ封印シール１４０を再使用できなくすることができる。
【００６０】
ここで、切断部材１２７によりＩＣタグ封印シール１４０を切断する際に、その切断抵抗によってＩＣタグ封印シール１４０が離反する方向へ撓む（押されて変形する）のを防止するために、ＩＣタグ封印シール１４０表面と封印カバー１６０の上側壁１６１Ｕとの間のスペースには切断ガイド部材１５０が介装されており、切断抵抗を受けたときにＩＣタグ封印シール１４０を挟み込むように強固に保持し、ＩＣタグ封印シール１４０を正確且つ容易に切断することを可能にしている。また、これにより、ＩＣタグ封印シール１４０の切断の際に、その切断抵抗によってＩＣタグ封印シール１４０が貼着部１２９から剥離することもない。なお、切断部材１２７の切れ刃１２７ｂの先端はＩＣタグ封印シール１４０を突き破って、ＩＣタグ封印シール１４０表面よりも上方に突出することになるが、切断部材１２７の切れ刃１２７ｂに合わせて切断ガイド部材１５０のリング状溝１５３が形成されているため、ＩＣタグ封印シール１４０表面から突出した切れ刃１２７ｂの部分はリング状溝１５３内に遊挿され、切断部材１２７の切れ刃１２７ｂと切断ガイド部材１５０とが干渉して、切れ刃１２７ｂが折損するおそれもない。
【００６１】
そして、封印カバー１６０を両封印部１１０，１２０に対してそのまま離脱方向に相対移動させると、可動体１１４のロックピン１１６が案内溝１２３の前端部に突き当たってそれ以上の移動が規制されるが、この状態では両封印部１１０，１２０のほとんどの部分が封印カバー１６０から抜け出した状態となっている。この状態からは、例えば、ロックピン１１６を壊したり、案内溝１２３の隙間から工具を進入させてロックピン１１６の座部１１６ｂを内方へ押し込んでロックピン１１６とピン受容孔１６５との係合を解除したりすることで、封印カバー１６０を本体側封印部１１０及び蓋側封印部１２０から取り外すことができる。なお、両封印部１１０，１２０の後側壁１１１Ｂ，１２１Ｂに可動体１１４が通過可能な大きさの開口を形成して、封印カバー１６０の相対移動とともに可動体１１４が上記開口から抜け出る構成により、封印カバー１６０を両封印部１１０，１２０から取り外すこととしてもよい。
【００６２】
封印カバー１６０を取り外した後は、不正開放防止機構９０におけるケース蓋部材７０と蓋側係合部９３とを繋ぐ連結部９４をニッパ等の工具を用いて切断する。これにより、不正開放防止機構９０によるケース本体部材６０とケース蓋部材７０との連結が断たれ、ケース蓋部材７０を開放することができる。
【００６３】
以上、このように構成されるケース封印部１００によれば、封印カバー１６０内に両封印部１１０，１２０を挿入装着したとき、この封印カバー１６０と両封印部１１０，１２０内に保持された可動体１１４とがロックピン１１６を介して係合して封印カバー１６０とカッティング機構１３０とが連結し、封印カバー１６０を両封印部１１０，１２０から取り外すときには、可動体１１４が封印カバー１６０と一体的に離脱方向へ相対移動することで、これに連動して揺動部材１２４が揺動変位し切断部材１２７がガイド孔１２８を通過してＩＣタグ封印シール１４０を切断するように構成されるため、ＩＣタグ封印シール１４０を切断しなければ主基板ケース５５を開放することができないケース封印構造となり、ＩＣタグ封印シール１４０が不正に再使用されることを防止できる。
【００６４】
また、ＩＣタグ封印シール１４０を、円筒形状の基体１２７ａの先端に尖鋭な切れ刃１２７ｂを複数有する切断部材１２７によってくり抜くようにして切断することで、平型の刃具を用いて切断した場合と比してより広い範囲の部分を一度に切断できるため、アンテナ線１４３の配線パターンが複雑な場合であっても、このアンテナ線１４３を的確に切断することができ、ＩＣタグ封印シール１４０をより確実に再使用不能に切断することが可能になる。
【００６５】
これまで本発明の好ましい実施形態について説明してきたが、本発明の範囲はこれに限定されるものではない。例えば、上述の実施形態において、封印カバー１６０に両封印部１１０，１２０を挿入装着したとき、可動体１１４のロックピン１１６と封印カバー１６０のピン収容孔１６５とが係合することで、封印カバー１６０とカッティング機構１３０とが連結する構成を例示して説明したが、これに限定されるものではなく、両封印部１１０，１２０に封印カバー１６０が装着されたときに、封印カバー１６０と可動体１１４とが係合するものであれば、封印カバー１６０の側にロックピンを設けたり、他のロック機構を採用してもよい。
【００６６】
また、上述の実施形態において、切断部材１２７として基体１２７ａの周方向に複数の切れ刃１２７ａを持つ円筒形状の刃具を例示して説明したが、これに限定されるものではなく、角筒形状や楕円筒形状、半円筒形状等の刃具であってもよい。また、筒型の刃具に限定されず、平型の刃具(カッターナイフ)や串状の刃具であってもよく、ＩＣタグ封印シール１４０を切断可能なものであれば、適宜選択して採用することが可能である。
【００６７】
また、上述の実施形態において、ＩＣタグ封印シール１４０を蓋側封印部１２０に貼着した場合を例示して説明したが、これに限定されるものではなく、本体側封印部１２０に貼着したり、本体側封印部１１０及び蓋側封印部１２０に巻き付けて取り付け、これを切断可能なカッティング機構を設ける構成であれば同様な効果が得られる。
【００６８】
さらに、本発明に係るケース封印構造においては、パチンコ機用のＩＣタグ封印シール（例えば、上述した実施形態の封印シール１４０）の他にも、種々の形態の封印シールを適用することが可能である。例えば、図１５に示すスロットマシン用のＩＣタグ封印シール２４０を適用することもできる。このＩＣタグ封印シール２４０は、矩形シート状のシール部材２４１に、ＩＣタグ２４２及びこれに繋がるアンテナ線２４３が透明な樹脂フィルム２４４によって覆われた状態で貼り付けられて構成される。ＩＣタグ２４２はシール部材２４１の略中央に配置され、アンテナ線２４３はＩＣタグ２４２の周囲で多重渦巻き状に配置されている。シール部材２４１及び樹脂フィルム２４４の外周には直線状の切り込み２４１ａ，２４４ａが規則的に形成されている。特に、このＩＣタグ封印シール２４０では、アンテナ線２４３自体が何重にもループ状に巻回されて切断及び破断に対する耐力が高く構成されているため、上記例示したような金属製の刃具（切れ刃１２７ｂ）により封印シールを切断するケース封印構造が好適に適用され、従来構成の封印構造に比してより確実にアンテナ線２４３を破損して情報送信を不能にするとともに、不正アクセスの痕跡を残存させることができるという効果を奏することができる。なお、ＩＣタグ封印シールに代えて、ＩＣタグ及びアンテナ線を備えないシート状の封印シールを用いてもよい。
【００６９】
また、以上においては、ケース本体部材６０に対してケース蓋部材７０がヒンジ係合されて揺動開閉される構成の主基板ケース５５にケース封印部１００（ケース封印構造）を適用した場合を例示したが、これに限定されるものではない。例えば、ケース本体部材にケース蓋部材を接合させた状態でスライド移動させて両者を閉止状態で係合保持する構成のものに本発明に係るケース封印構造を適用してもよい。
【００７０】
また、以上においては、本発明のケース封印構造をパチンコ機の主基板ケースに適用した例を説明したが、これに限定されるものではなく、画像基板アッセンブリに構成される基板ケースや、電源基板アッセンブリに構成される基板ケースに適用してもよく、更には、パチンコ機以外の遊技機、例えばスロットマシンの制御基板ケースや、その他の種々のケースにも適用することができる。
【符号の説明】
【００７１】
ＰＭ  パチンコ機
５０  主基板アッセンブリ
５１  主基板
５５  主基板ケース（ケース）
６０  ケース本体部材
７０  ケース蓋部材
９０  不正開放防止機構
１００  ケース封印部
１１０  本体側封印部
１１４  可動体
１１６  ロックピン（可動体側係合部）
１２０  蓋側封印部（一方の封印部）
１２４  揺動部材（揺動手段）
１２７  切断部材
１２７ｂ  切れ刃
１２８  ガイド孔
１２９  貼着部
１３０  カッティング機構
１３１  収容空間
１４０  ＩＣタグ封印シール（封印シール）
１４１  シール部材
１４２  ＩＣタグ
１４３  アンテナ線
１５０  切断ガイド部材
１５３  リング状溝（通過溝）
１６０  封印カバー
１６２  前面開口（開口）
１６３  封印空間
１６５  ピン受容孔（カバー側係合部）
２４０  ＩＣタグ封印シール（変形例）
【図１】
0005477815.tif 000002
【図２】
0005477815.tif 000003
【図３】
0005477815.tif 000004
【図４】
0005477815.tif 000005
【図５】
0005477815.tif 000006
【図６】
0005477815.tif 000007
【図７】
0005477815.tif 000008
【図８】
0005477815.tif 000009
【図９】
0005477815.tif 000010
【図１０】
0005477815.tif 000011
【図１１】
0005477815.tif 000012
【図１２】
0005477815.tif 000013
【図１３】
0005477815.tif 000014
【図１４】
0005477815.tif 000015
【図１５】
0005477815.tif 000016